(57)【要約】【課題】様々な耳ツボを容易に刺激することが可能な耳ツボ刺激具を提供する。【解決手段】この耳ツボ刺激具８０は、第１のツボ押し体３４ａを外耳道内に挿入するとともに、第２のツボ押し体３４ｂを耳穴の周囲に当接させる。そして、耳ツボ刺激具８０を回転させるなどすることで、第１のツボ押し体３４ａが外耳道内の内周面の耳ツボを刺激する。また、第２のツボ押し体３４ｂが耳穴周辺の耳ツボを刺激する。この際、ストッパ部４０及び第２のツボ押し部３０ｂが第１のツボ押し体３４ａの外耳道内への挿入長さを制限するため、第１のツボ押し体３４ａは必要以上に奥まで挿入されず鼓膜等を損傷することはない。これにより、安全性を確保しながら様々な耳ツボを容易に刺激することができる。これにより、脳の活性化やツボ刺激による健康上の好ましい効果を得ることができる。【選択図】図１
2019181145.tif 000002
【特許請求の範囲】
【請求項１】
外耳道内へ挿入可能で先側に位置する第１のツボ押し部と、
基側に位置し耳穴周辺の耳ツボを刺激可能な第２のツボ押し部と、
前記第２のツボ押し部よりも基側の位置に設けられ第１のツボ押し部の外耳道内への挿入長さを制限するストッパ部と、を備え、
前記第１のツボ押し部の軸部と前記第２のツボ押し部の軸部とが基側から先側に向けて時計回りの螺旋状を呈することを特徴とする耳ツボ刺激具。
【請求項２】
第１のツボ押し部の軸部と第２のツボ押し部の軸部とは互いに二重螺旋を形成するとともに、
第１のツボ押し部は第２のツボ押し部よりも１ｍｍ〜１０ｍｍ先側に位置することを特徴とする請求項１記載の耳ツボ刺激具。
【請求項３】
第２のツボ押し部は、第１のツボ押し部の外耳道内への挿入長さを制限するストッパを兼ねることを特徴とする請求項１または請求項２に記載の耳ツボ刺激具。
【請求項４】
第１、第２のツボ押し部の逆側にヘラ部を備えた耳かき部を有することを特徴とする請求項１乃至請求項３のいずれかに記載の耳ツボ刺激具。
【請求項５】
ヘラ部に複数の孔を有することを特徴とする請求項４記載の耳ツボ刺激具。
【請求項６】
第１、第２のツボ押し部の逆側に弾性部材によって外側に付勢された押圧スティックを有することを特徴とする請求項１乃至請求項３のいずれかに記載の耳ツボ刺激具。
【請求項７】
押圧スティックの外耳道内への挿入を制限するスティックストッパを前記押圧スティックの先側に備えたことを特徴とする請求項６記載の耳ツボ刺激具。
【発明の詳細な説明】
【技術分野】
【０００１】
本発明は、耳のツボを刺激するための耳ツボ刺激具に関するものである。
【背景技術】
【０００２】
人間の耳にはツボが２００程度あると言われており、これらを刺激することで脳の活性化や内臓の働きを促す等の健康上の好ましい効果があるとされている。そして、これら耳のツボを刺激する様々な健康器具が商品化されている。また、例えば下記［特許文献１］、［特許文献２］に示すように耳ツボを刺激するための様々な健康器具に関する発明が開示されている。
【先行技術文献】
【特許文献】
【０００３】
【特許文献１】特開２００５−６９１９号公報
【特許文献２】特開２００９−１７８５２６号公報
【発明の概要】
【発明が解決しようとする課題】
【０００４】
しかしながら、［特許文献１］、［特許文献２］に記載の発明は特定の耳ツボのみしか刺激できず、更なる改善が望まれる。本発明は上記事情に鑑みてなされたものであり、様々な耳ツボを容易に刺激することが可能な耳ツボ刺激具の提供を目的とする。
【課題を解決するための手段】
【０００５】
本発明は、
（１）外耳道内へ挿入可能で先側に位置する第１のツボ押し部３０ａと、
基側に位置し耳穴周辺の耳ツボを刺激可能な第２のツボ押し部３０ｂと、
前記第２のツボ押し部３０ｂよりも基側の位置に設けられ第１のツボ押し部３０ａの外耳道内への挿入長さを制限するストッパ部４０と、を備え、
前記第１のツボ押し部３０ａの軸部３２ａと前記第２のツボ押し部３０ｂの軸部３２ｂとが基側から先側に向けて時計回りの螺旋状を呈することを特徴とする耳ツボ刺激具８０、８０ａを提供することにより、上記課題を解決する。
（２）第１のツボ押し部３０ａの軸部３２ａと第２のツボ押し部３０ｂの軸部３２ｂとは互いに二重螺旋を形成するとともに、
第１のツボ押し部３０ａは第２のツボ押し部３０ｂよりも１ｍｍ〜１０ｍｍ先側に位置することを特徴とする上記（１）記載の耳ツボ刺激具８０、８０ａを提供することにより、上記課題を解決する。
（３）第２のツボ押し部３０ｂは、第１のツボ押し部３０ａの外耳道内への挿入長さを制限するストッパを兼ねることを特徴とする上記（１）または（２）に記載の耳ツボ刺激具８０、８０ａを提供することにより、上記課題を解決する。
（４）第１、第２のツボ押し部３０ａ、３０ｂの逆側にヘラ部５２を備えた耳かき部５０を有することを特徴とする上記（１）乃至（３）のいずれかに記載の耳ツボ刺激具８０を提供することにより、上記課題を解決する。
（５）ヘラ部５２に複数の孔５４を有することを特徴とする上記（４）記載の耳ツボ刺激具８０を提供することにより、上記課題を解決する。
（６）第１、第２のツボ押し部３０ａ、３０ｂの逆側に弾性部材によって外側に付勢された押圧スティック６０を有することを特徴とする上記（１）乃至（３）のいずれかに記載の耳ツボ刺激具８０ａを提供することにより、上記課題を解決する。
（７）押圧スティック６０の外耳道内への挿入を制限するスティックストッパ６０ａを前記押圧スティック６０の先側に備えたことを特徴とする上記（６）記載の耳ツボ刺激具８０ａを提供することにより、上記課題を解決する。
【発明の効果】
【０００６】
本発明に係る耳ツボ刺激具は、様々な耳ツボを容易に刺激することができる。また、ストッパ部がツボ押し体の外耳道への挿入長さを制限するため、安全に耳ツボへの刺激を行うことができる。
【図面の簡単な説明】
【０００７】
【図１】本発明に係る第１の形態の耳ツボ刺激具を示す図である。
【図２】本発明に係る第１の形態の耳ツボ刺激具の他の例を示す図である。
【図３】本発明に係る第２の形態の耳ツボ刺激具を示す図である。
【発明を実施するための形態】
【０００８】
本発明に係る耳ツボ刺激具の実施の形態について図面に基づいて説明する。ここで、図１、図２は本発明に係る第１の形態の耳ツボ刺激具８０を示す図である。また、図３は本発明に係る第２の形態の耳ツボ刺激具８０ａを示す図である。そして、これら図１〜図３に示す本発明に係る耳ツボ刺激具８０、８０ａは、第１のツボ押し部３０ａと第２のツボ押し部３０ｂの２つのツボ押し部を備えている。そして、第１、第２のツボ押し部３０ａ、３０ｂは、軸部３２ａ、３２ｂと、この軸部３２ａ、３２ｂの先端に設けられたツボ押し体（第１のツボ押し体３４ａ、第２のツボ押し体３４ｂ）と、を有している。また、軸部３２ａ、３２ｂは、基側から先側に向けて時計回り（右巻き）の螺旋状を呈している。よって、第１のツボ押し部３０ａと第２のツボ押し部３０ｂの軸部３２ａ、３２ｂは互いに二重螺旋を形成する。尚、耳ツボ刺激具８０は金属やプラスチック等の比較的硬質な材料からシリコンゴム等の比較的柔軟な合成樹脂等、如何なるものを用いても良い。
【０００９】
また、第１、第２のツボ押し体３４ａ、３４ｂは耳のツボを刺激するためのものであり、略楕円体もしくは略球体とすることが好ましい。また、第１、第２のツボ押し体３４ａ、３４ｂの表面は滑らかであっても良いし、より刺激を与えるための突起を設けても良い。また、渦状の凹凸を設けても良い。尚、渦状の凹凸を設ける場合には基側から見て時計回り（右巻き）とすることが好ましい。また、第１、第２のツボ押し体３４ａ、３４ｂの径もしくは長軸寸法は５ｍｍ〜１２ｍｍ程度とすることが好ましい。ただし、少なくとも第１のツボ押し体３４ａの径（短軸寸法）は外耳道内に挿入可能な径、即ち一般的な人の外耳道の径よりも小さい径とする。
【００１０】
また、第１のツボ押し体３４ａは、第２のツボ押し体３４ｂよりも先側にずらして位置させる。この第１、第２のツボ押し体３４ａ、３４ｂのずらし量は１ｍｍ〜１０ｍｍ程度とすることが好ましい。そして、第１のツボ押し体３４ａは外耳道内へ挿入され、外耳道内の耳ツボを刺激する。また、基側に位置する第２のツボ押し部３０ｂの第２のツボ押し体３４ｂは、耳穴周辺に当接し耳穴周辺の耳ツボを刺激する。このとき、第２のツボ押し部３０ｂの軸部３２ｂは螺旋状に形成されているため第２のツボ押し体３４ｂは軸部３２ｂの弾性力によって耳側に付勢され、耳穴周辺の耳ツボを適度な押圧力で刺激することができる。また、ユーザによって耳ツボへの押圧力を加減することができる。さらに、第２のツボ押し部３０ｂは後述のストッパ部４０とともに第１のツボ押し部３０ａの外耳道内への挿入長さを制限するストッパ機能を有する。
【００１１】
そして、第１のツボ押し体３４ａを外耳道内に挿入し、第２のツボ押し体３４ｂを耳穴周辺に当接した状態で耳ツボ刺激具８０、８０ａを回すことで第１、第２のツボ押し体３４ａ、３４ｂが回転し、第１のツボ押し体３４ａが外耳道内の内周面の耳ツボを刺激する。この際、第１のツボ押し部３０ａの軸部３２ａも螺旋状に形成されているため、周方向にも適度な弾性力が生じ、外耳道内周面の耳ツボを適度な押圧力で刺激することができる。またこのとき、第２のツボ押し体３４ｂは耳穴周辺に当接した状態で耳穴に沿って回転する。これにより、耳穴周辺の耳ツボを連続的に刺激することができる。さらに、前述のように第２のツボ押し部３０ｂの軸部３２ｂは螺旋状に形成されているため、第２のツボ押し体３４ｂはこの軸部３２ｂの弾性力によって耳方向に付勢され、耳穴周囲の凹凸の影響を緩和してスムーズなツボ押しを可能とする。
【００１２】
また、本発明に係る耳ツボ刺激具８０、８０ａは、第１、第２のツボ押し部３０ａ、３０ｂよりも基側の所定の位置にストッパ部４０を有している。このストッパ部４０は第２のツボ押し部３０ｂとともに、第１のツボ押し体３４ａが鼓膜に到達しないよう外耳道への挿入長さを制限するものであり、一般的な人の耳の孔径よりも大きい径もしくは突起を有している。尚、耳穴の周囲には凹凸が存在し個人差も大きい、よって第２のツボ押し部３０ｂの位置や状態によっては、第２のツボ押し部３０ｂのストッパ機能のみでは不十分な可能性が有る。この点、本発明に係る耳ツボ刺激具８０、８０ａは、ストッパ部４０を別に設けることで、第２のツボ押し部３０ｂの位置や状態に関わらず、ストッパ部４０単体でも第１のツボ押し体３４ａの外耳道内への挿入長さを制限することができる。これにより、ユーザは安全に耳ツボの刺激を行うことができる。尚、ストッパ部４０から先側の第１のツボ押し体３４ａの先端までの長さは１５ｍｍ〜２０ｍｍ程度とすることが好ましい。
【００１３】
そして、本発明に係る第１の形態の耳ツボ刺激具８０は、ツボ押し部３０ａ、３０ｂの逆側に耳かき部５０を有している。この場合、ストッパ部４０は耳かき部５０が鼓膜まで到達しないよう外耳道への挿入長さを制限する耳かき側ストッパとしても機能するように設計することが好ましい。また、耳かき部５０の形状に関しては特に限定は無くヘラ部５２を備えた周知の形状とすることができる。ただし、耳かき部５０のヘラ部５２にはφ０．２ｍｍ〜φ０．５ｍｍ程度の孔５４を複数設けることが好ましい。そして、この孔５４の内周面が耳内の産毛やムダ毛等を剃毛可能とすることが好ましい。尚、耳かき部５０の孔５４は図２に示すように無くとも良い。
【００１４】
また、本発明に係る第２の形態の耳ツボ刺激具８０ａは、図３（ａ）〜（ｃ）に示すように、ツボ押し部３０ａ、３０ｂの逆側に押圧スティック６０を有している。この押圧スティック６０は、頭皮や肩、耳穴、手指足等、人体の各部を押圧してマッサージやツボ刺激等を行うものであり、内部に設けられたバネ等の弾性部材によって外側に付勢され、適宜内部に引っ込むことで適度な圧力により当接部位を押圧する。尚、押圧スティック６０の先端の形状には特に限定は無いが、耳穴を刺激する構成では押圧スティック６０が深く挿入され鼓膜を損傷することを防止するため、外耳道内への挿入を制限するスティックストッパ６０ａを設けることが好ましい。尚、スティックストッパ６０ａの形状には特に限定は無いが、押圧スティック６０の先端部分を平均的な人間の外耳道の径よりも若干大きくして形成することが好ましい。また、図３（ｂ）、（ｃ）に示すようにスティックストッパ６０ａの外面に突起部６０ｂを設け、押圧スティック６０による押圧刺激を向上させるようにしても良い。
【００１５】
そして、本発明に係る耳ツボ刺激具８０、８０ａの使用方法としては、第１、第２のツボ押し体３４ａ、３４ｂを耳介のツボに押圧するなどして刺激を与える。また、第１のツボ押し体３４ａを外耳道内に挿入するとともに、第２のツボ押し体３４ｂを耳穴の周囲に当接させる。そして、耳ツボ刺激具８０、８０ａを回転させるなどすることで、第１のツボ押し体３４ａが外耳道内の内周面の耳ツボを刺激する。また、第２のツボ押し体３４ｂが耳穴周辺の耳ツボを刺激する。この際、ストッパ部４０及び第２のツボ押し部３０ｂが第１のツボ押し体３４ａの外耳道内への挿入長さを制限するため、第１のツボ押し体３４ａは必要以上に奥まで挿入されず鼓膜等を損傷することはない。これにより、安全性を確保しながら様々な耳ツボを容易に刺激することができる。これにより、脳の活性化やツボ刺激による健康上の好ましい効果を得ることができる。
【００１６】
また、耳かき部５０を備えた第１の形態の耳ツボ刺激具８０では、耳ツボの刺激に加え耳かき部５０による耳掃除を行うことができる。また、ヘラ部５２に孔５４を設けることで耳の産毛やムダ毛等の処理を行うことができる。尚、ヘラ部５２の孔５４はなくとも良い。また、押圧スティック６０を備えた第２の形態の耳ツボ刺激具８０ａでは、第１のツボ押し部３０ａと第２のツボ押し部３０ｂによる耳ツボの刺激に加え、押圧スティック６０で身体の各部を押圧することで、これらの部位に適度な刺激を与えマッサージやツボ刺激等を行うことができる。これにより、脳の活性化や健康上の好ましい効果を得ることができる。
【００１７】
以上のように、本発明に係る耳ツボ刺激具８０、８０ａは、安全性を確保しながら様々な耳ツボを容易に刺激することができる。これにより、脳の活性化やツボ刺激による健康上の好ましい効果を得ることができる。
【００１８】
尚、上記に示した耳ツボ刺激具８０、８０ａの各部の形状、寸法、構成、デザイン等は一例であるから、上記の例に限定されるわけでは無く、本発明は本発明の要旨を逸脱しない範囲で変更して実施することが可能である。
【符号の説明】
【００１９】
３０ａ  第１のツボ押し部
３０ｂ  第２のツボ押し部
３２ａ、３２ｂ    軸部
３４ａ  第１のツボ押し体
３４ｂ  第２のツボ押し体
４０    ストッパ部
５０    耳かき部
５２    ヘラ部
５４    孔
６０    押圧スティック
６０ａ  スティックストッパ
８０、８０ａ  耳ツボ刺激具
【図１】
2019181145.tif 000003
【図２】
2019181145.tif 000004
【図３】
2019181145.tif 000005